(57)【特許請求の範囲】
【請求項１】
シャッタ座板の直立部に固体される取付部とこれに連接する平板部を有し、前記平板部に嵌入孔を設けた台座金具と、先端部にロッド挿通孔を形成した断面長方形の棒状連結部材を手動によって回動起立可能に枢着した埋込みボックスからなり、前記埋込みボックスはシャッタの閉止時において前記台座金具の平板部の直下に位置する床面に埋設されて構成され、前記連結部材を起立させた状態で前記台座金具の嵌入孔に嵌入させると共に前記連結部材のロッド挿通孔にシリンダ錠の突出しロッドを挿通して施錠することを特徴とするローリングシャッタの防犯施錠装置。
【請求項２】
台座金具の平板部表面に嵌入孔を挟んで平行リブが形成されると共に該リブに突出しロッドの定置用受け溝又はロッド案内口を設けてなる請求項１記載の防犯施錠装置。
【請求項３】
シリンダ錠の本体がブロック体で構成され、該本体の開口側端面と台座金具の平板部表面に互いに係合する１以上の係合段部が設けられてなる請求項１記載の装置。
【請求項４】
棒状連結部材の短辺部表面が、シャッタ開放時において埋め込みボックスの表面板と同一面になって倒伏するようにボックス本体に枢着されてなる請求項１乃至３いずれか記載の装置。
【発明の詳細な説明】
【０００１】
【発明の属する技術分野】
この発明は、ローリングシャッタの防犯用強力施錠装置に関する。
【０００２】
【従来の技術】
ローリングシャッタは、開閉操作を容易にする目的で軽量に製作されていて、その座板は、折り曲げ成形によって外見上の厚さを備えているだけであって機械的強度が弱いのでバールその他の工具で容易に変形し破壊され、所謂「シャッタ破り」が頻発して防犯上問題になっている。この座板を補強するため、座板の外面側にアングル鋼材などを溶接することが考えられるが、シャッタ重量が重くなる他、座板が前方に傾いて昇降動作に支障をきたす。
【０００３】
【発明が解決しようとする課題】
本発明は、既設のシャッタ座板を重量化せずに床面に対して強固に連結固定することができ、容易に破壊されない堅牢な防犯施錠装置を提供するものであり、しかも常時（シャッタ開放時）は床面上に存在せず通行を邪魔しない装置を提供するものである。
【０００４】
【課題を解決するための手段】
本発明防犯施錠装置は、シャッタ座板の直立部に固体される取付部とこれに直角に連接する平板部を有し、前記平板部に連結部材嵌入孔を設けた台座金具と、断面長方形の棒状連結部材を起立可能に枢着内装したボックス本体を床面に埋設固定した埋め込みボックスからなり、シャッタ閉止時において前記連結部材を起立させた状態で前記台座金具の嵌入孔に嵌入させ、更に連結部材の先端部に形成したロッド挿通孔にシリンダ錠の突出しロッドを挿通して施錠するものである。
【０００５】
本発明において、台座金具は、アルミ合金その他の丈夫な軽合金製であって、取付部は座板直立部の裏面側から片締めボルトによって固定するのが好ましく、シャッタ座板の少なくとも２箇所に固定される。  この結果、台座金具の平板部は、シャッタ座板の外側に舌片状に突出する。
【０００６】
埋め込みボックスは、前記台座金具の直下に位置する床面に埋設固定され、棒状連結部材は、断面長方形の鋼材であって、手動によって起立・倒伏できるように埋め込みボックス内に枢着され、常時（シャッタ開放時）においては、埋め込みボックス表面板と同一面に倒伏されるものである。
【０００７】
棒状連結部材の倒伏面は、シャッタ座板の長手方向と並行させてもよいし、直角になるようにしてもよい。
【０００８】
【発明の実施の形態】
1はシャッタ、2は昇降ガイド、3は座板、4は直立部、5は座面部、6はシリンダ錠、7は床面Ｇに埋設された埋め込みボックスである。
8は、鋳造又は板加工によって造られたボックス本体、9はフランジ、10は断面長方形の棒状連結部材であって、先端部側面にロッド挿通孔11が形成され、基端側に係止段部12が形成されて短辺部表面13が表面板14と同一面になるように枢軸15によってボックス本体に枢着されている。
16は、表面板14に穿設した連結部材の倒伏用溝穴、17は、棒状連結部材の段部12の当接ストッパである。  18は、起立用突き下げ孔である。
【０００９】
台座金具20は、シャッタ座板の直立部4に固定する直立部21と平板部22を備えてＬ型に構成されていて、取付部の背面側にボルト孔26が穿設されると共に平板部に連結部材を挿入する嵌入孔23が形成されている。
埋め込みボックス７は、台座金具20の直下に位置する床面に埋設固定される。
図５、図６は、南京錠にも使用できる台座金具であって、嵌入孔23の両側の平板部上に立設した並行リブ24によって平板部を補強している。
25は、並行リブに貫設した突出しロッドの案内口であって定置用受け溝でもよい。
この台座金具を用いる場合は、棒状連結部材10の倒伏面がシャッタ座板の長手方向と直角になるように埋め込みボックスを埋設する。
【００１０】
図７は、本体がブロック体でなるシリンダ錠に好適な台座金具を示す図であって、図８、図９に示す施錠装置が提供される。
図７において27は、平板部と取付部の隅部に設けた補強リブ、28は平板部の前部表面に設けた係合段部である。
31は、シリンダ錠の開口側端面（底面）に形成した係合段部であって、台座金具の段部28と係合する。
段部28、31は、対面させて複数形成することが可能であり、互いに対応して係合すればどこに設けてもよい。
32は、起立状態の連結部材先端部10Ａを受容する空部、33はシリンダ錠の突出しロッドであり、連結部材のロッド挿通孔11を貫通して施錠される。
シリンダ部34の構造説明は割愛する。
【００１１】
上記装置の施錠操作は、先ず、埋め込みボックス内の棒状連結部材10を図２の鎖線の如く起立させてからシャッタ座板を下降させ、座板に固定された台座金具20の嵌入孔23に棒状連結部材の先端部10Ａを嵌入させる。  次いで、シリンダ錠の突出しロッド23を先端部10Ａのロッド挿通孔11に挿通させて図８、図９のように施錠する。
本発明防犯用施錠装置は、バールによる抉りやハンマーによる衝撃など外部からの機械的破壊手段によっては容易に破壊されることはなく、シャッタ破りなどには十分対抗できる。なお、左右の埋め込みボックスを地中において連結するなど抜き上げ防止手段を講じれば
一層強固になる。
【図面の簡単な説明】
【図１】本発明施錠装置が設置されたシャッタの要部正面図
【図２】埋め込みボックスの縦断正面図
【図３】同側面図
【図４】ボックス表面板の上面図
【図５】台座金具と埋め込みボックスの取付け例を示す側面図
【図６】同平面図
【図７】他の台座金具の斜視図
【図８】シリンダ錠の施錠状態を示す側面図
【図９】シリンダ錠と埋め込みボックスの取付関係を９０°変更した場合の側面図
【符号の説明】
3  座板
4  直立部
5  座面部
6  シリンダ錠
7  埋め込みボックス
8  ボックス本体
9  フランジ
10  棒状連結部材
10Ａ  先端部
11  突出しロッドの挿通孔
12  係止段部
13  短辺部表面
14  表面板
15  枢軸
16  連結部材の倒伏溝穴
17  当接ストッパ
18  突下げ孔
20  台座金具
21  取付部
22  平板部
23  嵌入孔
24  平行リブ
25  案内口
26  取付ボルト孔
27  補強リブ
28  係合段部
30  シリンダ錠本体
31  開口端面の係合段部
32  受容空部
33  突出しロッド
34  シリンダ部
【図１】
0004082503.tif 000002
【図２】
0004082503.tif 000003
【図３】
0004082503.tif 000004
【図４】
0004082503.tif 000005
【図５】
0004082503.tif 000006
【図６】
0004082503.tif 000007
【図７】
0004082503.tif 000008
【図８】
0004082503.tif 000009
【図９】
0004082503.tif 000010